(57)【要約】【課題】より確実にロックできる操作部材ロック装置及び該操作部材ロック装置を備えた操作装置を提供する。【解決手段】操作部材ロック装置４は、回転つまみ３が備えられる操作面１に取り付けられる取付部材５と、回転つまみ（操作部材）３を覆う位置と回転つまみ３の操作が可能な開放位置との間で回動可能で、且つ操作面１に近接・離反方向に変位可能となるように取付部材５に設けられ、回転つまみ３を所定位置でロックするための嵌合孔（嵌合部）１４を有するロック部材６とを備える。回転つまみ３をロック状態にするに際しては、ロック部材６を開放位置から回転つまみ３の上端部側へ回動操作した後、回転つまみ３の下端部側へ押し込み操作を行うことにより所定位置にある回転つまみ３を嵌合孔１４に嵌合することによって、回転つまみ３をロック状態にする。【選択図】図１
2014011135.tif 000002
【特許請求の範囲】
【請求項１】
手動操作によって複数の位置に選択操作可能な操作部材を、前記複数の位置のうちの所定の位置でロックするための操作部材ロック装置であって、
前記操作部材が備えられる操作面に取り付けられる取付部材と、
前記操作部材を覆う位置と前記操作部材の操作が可能な開放位置との間で回動可能で、且つ前記操作面に近接・離反方向に変位可能となるように前記取付部材に設けられ、前記操作部材を所定位置でロックするための嵌合部を有するロック部材と、
を備え、
前記ロック部材を前記開放位置から前記操作部材の上端部側へ回動操作した後、前記操作部材の下端部側へ押し込み操作を行うことにより前記所定位置にある操作部材を前記嵌合部に嵌合することによって、前記操作部材をロック状態にすることを特徴とする操作部材ロック装置。
【請求項２】
前記嵌合部は前記操作部材が入る開口を有し、前記ロック部材の回動操作によって、前記開口が前記押し込み方向と直交する面と平行に配置される請求項１に記載の操作部材ロック装置。
【請求項３】
前記取付部材及びロック部材のうち、一方に軸部、他方に前記押し込み方向へ移動可能かつ回転可能に前記軸部を保持する案内部を備えたことを特徴とする請求項１又は２に記載の操作部材ロック装置。
【請求項４】
前記操作部材はセレクタスイッチの回転つまみである請求項１〜３のいずれかに記載の操作部材ロック装置。
【請求項５】
前記取付部材は、操作面に当接する底部と、底部の左右両端に一体的に形成される側部を有し、前記ロック部材は、基部と、基部の左右両端に一体的に形成される側部とを有し、
前記ロック部材の側部におけるロック部材の回動中心とは反対側の端部には、前記取付部材の側部の端面を覆うガイド部が設けられている請求項１〜４のいずれかに記載の操作部材ロック装置。
【請求項６】
請求項１〜５のいずれかに記載の操作部材ロック装置と、操作部材とを備えたことを特徴とする操作装置。
【発明の詳細な説明】
【技術分野】
【０００１】
本発明は、例えばセレクタスイッチの回転つまみ等の操作部材を所定位置でロック（動かないように固定）するための操作部材ロック装置及び該操作部材ロック装置を備えた操作装置に関する。
【背景技術】
【０００２】
例えば、制御盤操作部のスイッチ装置には、スイッチ装置の回転つまみ（操作部材に相当）を覆い、スイッチ装置を操作できないようにするための保護カバー（操作部材ロック装置に相当）が備えられている。
【０００３】
この種の保護カバーの従来技術としては、図１５に示すように、回転つまみ１００を有するスイッチ装置に固定された固定カバー１０１の一端部に可動カバー１０２が回動可能に取付けられており、可動カバー１０２を回動操作することにより、回転つまみ１００に嵌合孔１０３を嵌め込むように構成されている。これにより、回転つまみ１００を回転操作できないようにしている。
【先行技術文献】
【特許文献】
【０００４】
【特許文献１】実開昭６０−１１５４２３号公報（第３図参照）
【発明の概要】
【発明が解決しようとする課題】
【０００５】
しかしながら、回転つまみ１００が小さい場合等は、嵌合孔１０３の回転つまみ１００への嵌め込みが浅く、確実にロックできない場合が考えられる。
【０００６】
本発明は、上記の実情を鑑みて考え出されたものである。その目的は、より確実に操作部材をロックできる操作部材ロック装置及び該操作部材ロック装置を備えた操作装置を提供することである。
【課題を解決するための手段】
【０００７】
上記目的を達成するため請求項１記載の発明は、手動操作によって複数の位置に選択操作可能な操作部材を、前記複数の位置のうちの所定の位置でロックするための操作部材ロック装置であって、前記操作部材が備えられる操作面に取り付けられる取付部材と、前記操作部材を覆う位置と前記操作部材の操作が可能な開放位置との間で回動可能で、且つ前記操作面に近接・離反方向に変位可能となるように前記取付部材に設けられ、前記操作部材を所定位置でロックするための嵌合部を有するロック部材と、を備え、前記ロック部材を前記開放位置から前記操作部材の上端部側へ回動操作した後、前記操作部材の下端部側へ押し込み操作を行うことにより前記所定位置にある操作部材を前記嵌合部に嵌合することによって、前記操作部材をロック状態にすることを特徴とする。
【０００８】
上記の構成によれば、ロック部材を回動操作し、次いで押し込み操作を行う２段階操作により操作部材をロック状態とするように構成しているので、従来例よりも確実に操作部材をロックできる。
【０００９】
また、請求項２記載の発明は、請求項１記載の操作部材ロック装置であって、前記嵌合部は前記操作部材が入る開口を有し、前記ロック部材の回動操作によって、前記開口が前記押し込み方向と直交する面と平行に配置されることを特徴とする。
【００１０】
上記構成によれば、嵌合代を小さくでき、より確実に操作部材をロックできる。
【００１１】
また、請求項３記載の発明は、請求項１又は２に記載の操作部材ロック装置であって、前記取付部材及びロック部材のうち、一方に軸部、他方に前記押し込み方向へ移動可能かつ回転可能に前記軸部を保持する案内部を備えたことを特徴とする。
【００１２】
上記構成によれば、比較的簡単な構成で、確実にロック部材を回動操作し次いで押し込み操作を行うことが可能となる。
【００１３】
また、請求項４記載の発明は、請求項１〜３のいずれかに記載の操作部材ロック装置であって、前記操作部材はセレクタスイッチの回転つまみであることを特徴とする。
【００１４】
また、請求項５記載の発明は、請求項１〜４のいずれかに記載の操作部材ロック装置であって、前記取付部材は、操作面に当接する底部と、底部の左右両端に一体的に形成される側部を有し、前記ロック部材は、基部と、基部の左右両端に一体的に形成される側部とを有し、前記ロック部材の側部におけるロック部材の回動中心とは反対側の端部には、前記取付部材の側部の端面を覆うガイド部が設けられていることを特徴とする。
【００１５】
上記構成によれば、ガイド部を設けることにより、円滑且つ確実に、ロック部材を操作面に近接・離反方向に変位させることが可能となる。加えて、操作部材がロックされた状態においては、ガイド部がロック部材の回動を規制する働きをなすため、ロック部材が操作部材から外れ難く、操作部材を操作することが阻止され得る状態が維持される。つまり、ロック状態の維持がより確実になる。
【００１６】
また、請求項６記載の発明は、請求項１〜５のいずれかに記載の操作部材ロック装置と、操作部材とを備えたことを特徴とする操作装置である。
【発明の効果】
【００１７】
本発明によれば、ロック部材を回動操作し、次いで押し込み操作を行う２段階操作により操作部材をロック状態とするように構成しているので、従来例よりも確実に操作部材をロックできる。
【図面の簡単な説明】
【００１８】
【図１】実施の形態１に係る操作部材ロック装置の斜視図（ロックされていない開放状態における斜視図）。
【図２】実施の形態１に係る操作部材ロック装置の分解斜視図。
【図３】実施の形態１に係る操作部材ロック装置の斜視図（ロック状態における斜視図）。
【図４】実施の形態１に係る操作部材ロック装置において南京錠等の鍵により施錠されている状態を示す斜視図。
【図５】嵌合孔の拡大平面図。
【図６】ロック部材の側部付近の斜視図。
【図７】長孔内の軸部に位置を示す図。
【図８】ロック部材のロック操作の際の動作過程を簡略化して示す図。
【図９】実施の形態２に係る操作部材ロック装置の簡略化した斜視図である。
【図１０】実施の形態１に係る操作部材ロック装置の変形例の斜視図（ロック状態における斜視図）。
【図１１】図１０に示す変形例の分解斜視図。
【図１２】図１０に示す変形例の斜視図（ロック状態における斜視図）。
【図１３】図１０に示す変形例において南京錠等の鍵により施錠されている状態を示す斜視図。
【図１４】他の変形例における嵌合孔の拡大平面図。
【図１５】従来例の斜視図。
【図１６】従来例の嵌合孔の拡大平面図。
【発明を実施するための形態】
【００１９】
以下、本発明の実施の形態について詳述する。なお、本発明は、以下の実施の形態に限定されるものではない。
【００２０】
図１は本実施の形態に係る操作部材ロック装置の斜視図（ロックされていない開放状態における斜視図）、図２は本実施の形態に係る操作部材ロック装置の分解斜視図、図３は本実施の形態に係る操作部材ロック装置の斜視図（ロック状態における斜視図）、図４は本実施の形態に係る操作部材ロック装置において南京錠等の鍵により施錠されている状態を示す斜視図である。本実施の形態では、セレクタスイッチの回転つまみ（操作装置の操作部材に相当）をロックする操作部材ロック装置について説明する。制御盤等の操作面１にはセレクタスイッチ２が設けられ、セレクタスイッチ２の回転つまみ３を操作して例えば産業機械の運転や停止を行う。そして、産業機械の停止を設定する所定位置（本実施の形態では図１に示すように斜め位置）に回転つまみ３がセットされた場合には、回転つまみ３の誤操作等により産業機械が運転されるのを防止して安全性を図るために、回転つまみ３を本発明に係る操作部材ロック装置４を用いてロックするように構成されている。
【００２１】
操作部材ロック装置４は、制御盤等の操作面１に取付けられる金属製等の取付部材５と、回転つまみ３を所定位置でロックする金属製等のロック部材６とを備える。ロック部材６は、取付部材５に回動可能で且つ操作面１に対して近接方向Ｙ１及び離反方向Ｙ２に変位可能に設けられている。
【００２２】
取付部材５は、図２に示すように、操作面１に当接する板状の底部５ａと、底部５ａの左右両端に一体的に形成される側部５ｂ，５ｂとからなる。底部５ａには、その中央部にセレクタスイッチ２が挿入する略円形の挿通孔７が形成されている。また、底部５ａには、その四隅にビス８が挿通する取付孔９が形成されており、このビス８によって取付部材５が操作面１に固定されている。側部５ｂの一端部（図２の上端部）寄りには側部５ｂの高さ方向Ｈ１に延びる長孔１０が形成されており、各側部５ｂの他端部（図２の下端部）寄りには南京錠等の鍵１１の係止フック１１ａ（図４参照）が挿通する略円形の鍵取付用孔１２ａが形成されている。なお、ビス８はネジ、リベット、係止リング等によって構成してもよい。あるいはビス８、取付孔９に代えて取付部材５を操作面１に溶接して取り付けてもよい。あるいは、取付部材５と操作面１とを操作部材を有する装置で表側及び裏側から挟むことによって、取付部材５を操作面１に取り付けてもよい。
【００２３】
ロック部材６は、図２に示すように、板状の基部６ａと、基部６ａの左右両端に一体的に形成される側部６ｂ，６ｂとを備える。基部６ａには、所定位置に存在する回転つまみ３を嵌合してロックするための嵌合孔（嵌合部）１４が形成されている。嵌合孔１４は回転つまみ３に略対応した形状である。より正確には、嵌合孔１４は、図５に示すように、回転つまみ３の平面視における形状に僅かの嵌合代Ｍ（ロック部材６の嵌合孔１４の内壁と回転つまみ３との間の空間）をとった寸法形状に形成されている。
【００２４】
側部６ｂの一端部（図２の上端部）寄りには軸部１５の先端が挿通する取付孔１６が形成されており、側部６ｂ，６ｂの他端部（図２の下端部）寄りには鍵１１の係止フック１１ａが挿通する略円形の鍵取付用孔１２ｂが形成されている。この鍵取付用孔１２ｂと鍵取付用孔１２ａとは略同一径を有する。なお、軸部１５はビス、ネジ、リベット、係止リング等で構成してもよい。
【００２５】
側部６ｂ，６ｂは側部５ｂ，５ｂの外側に配置され、軸部１５の先端部が側部５ｂ，５ｂの内方側から長孔１０、取付孔１６を挿通し、係止リング１７によって係止されている。これにより、ロック部材６は、軸部１５を回動中心として取付部材５に回動可能に取り付けられる。また、軸部１５は長孔１０に沿って移動可能であることから、ロック部材６は操作面１に近接方向Ｙ１及び離反方向Ｙ２に変位可能となっている。
【００２６】
また、側部６ｂ，６ｂの他端部（図２の下端部）は内側に折り曲げられて、取付部材５の側部５ｂ，５ｂの端面を覆うガイド部２０として機能する。ガイド部２０の内側面は、図６に示すように、取付部材５の側部５ｂの端面と一定の間隔Ａを保ち側部６ｂの高さ方向Ｈ２に延在している。このガイド部２０は、ロック部材６の近接方向Ｙ１及び離反方向Ｙ２の移動を案内する働きをなす。
【００２７】
次いで、上記構成の操作部材ロック装置４のロック操作について説明する。回転つまみ３がロックすべき所定位置以外の位置にセットされている場合は、ロック部材６は回転つまみ３を覆わない開放位置にある。この開放位置においては、軸部１５は長孔１０の上側内面１０ｂに若干の隙間を介してあるいは隙間がなく位置している。このような状態で、回転つまみ３を所定位置に切替え（図１）、操作部材ロック装置４によって回転つまみ３をロックする操作を行う。
【００２８】
先ず、図８（１）の開放位置から軸部１５が長孔１０の上側内面１０ｂに位置した状態（図７（２））を保ちながらロック部材６を矢印方向Ｂに回動操作する。そして、嵌合孔１４の開口面１４ａが押し込み方向Ｎ２に直交する面と平行となる位置に到達させる。この状態では、回転つまみ３の上部が僅かに嵌合孔１４から突出した状態（図８（２））となる。あるいは、回転つまみ３が小さい場合は回転つまみ３の直上に嵌合孔１４が位置する状態となる。これら回転つまみ３の上部が嵌合孔１４から突出する場合又は回転つまみ３の直上に嵌合孔１４が位置する場合のように、ロック部材６を開放位置（図８（１））から回転つまみ３の上端部側へ回動操作する。次いで、ロック部材６をＮ２方向に押し込むと、ロック部材６の側部６ｂがガイド部２０に案内され、長孔１０及びガイド部２０によってロック部材６は図８（２）の状態から、開口面１４ａが押し込み方向Ｎ２に直交する面と平行な状態を保ちながら、回転つまみ３の下端部側へ押し込み操作が行われ、回転つまみ３が嵌合孔１４に嵌り込むことになる（図３、図８（３）参照）。この状態では、軸部１５は長孔１０の下側内面１０ａ（図７（１）参照）に位置している。なお、軸部１５と下側内面１０ａとの間には若干の隙間があってもよい。従って、確実に回転つまみ３を嵌合孔１４に嵌め込むことができる。このようにして、回転つまみ３が嵌合孔１４に嵌め込まれると、回転つまみ３がロック状態となる。尚、ロック部材６をＮ２方向に押し込むと、基部６ａの下面が取付部材の側部５ｂの上端面に当接して、ロック部材６のＮ２方向への移動が停止する。そして、このロック状態では、側部５ｂの鍵取付用孔１２ａと，側部６ｂの鍵取付用孔１２ｂとがぴったりと一致した状態となっている。長孔１０の長手方向は押し込み方向Ｎ２に一致し、方向Ｎ１はＮ２の逆方向である。
【００２９】
次いで、鍵１１の係止フック１１ａを鍵取付用孔１２ａ，１２ｂに挿通させ施錠する。これにより、回転つまみ３のロック状態がより強固となり、より誤操作等の防止が図られ安全性が担保されることになる。
【００３０】
以上のように、ロック部材６を回動操作し、次いで押し込み操作を行う２段階操作により回転つまみ３をロック状態とするように構成しているので、従来例よりも確実に回転つまみ３をロックできる。また、嵌合孔１４の開口面１４ａが押し込み方向Ｎ２に直交する面に対して交差する状態ではなく、嵌合孔１４の開口面１４ａが押し込み方向Ｎ２に直交する面と平行となる状態から押し込み操作を行う構成であるので、嵌合代Ｍを小さくできる。嵌合代Ｍを小さくできるので、回転つまみ３の僅かな回転操作もロックできる。
【００３１】
また、ロック部材６を押し込むことによって、回転つまみ３のロック部材６の嵌合孔１４からの突出量を可能な限り大きくすることができる。これによって、ロック部材６は回動しようとしても回転つまみ３に引っ掛かり易く、回転つまみ３から外れ難くすることができる。これにより、例えば係止フック１１ａの径が鍵取付用孔１２ａ、１２ｂと比べてかなり細い鍵１１を用いて係止フック１１ａを鍵取付用孔１２ａ、１２ｂに挿通した場合（つまり、鍵１１を掛けた場合）、この径の細さにより係止フック１１ａと鍵取付孔１２ａ、１２ｂの内壁との間で大きな隙間が生じ、ロック部材６のガタつきを許してしまう。しかし、ロック部材６を押し込むことによって回転つまみ３をロック部材６の嵌合孔１４から大きく突出させているので、ロック部材６はガタつきが生じても、回転つまみ３から外れ難い。鍵１１が掛かった状態で、さらに人が手でロック部材６を回転つまみ３から外そうとしても外れ難いので、回転つまみ３を回動させることができない。
【００３２】
また、ガイド部２０を設けることにより、ロック部材６は所定以上に押し込まれていれば、図８（３）に示す状態から方向Ｃ（方向Ｂと逆方向）に回動操作しようとしても、側部５ｂの端面５ｂａにガイド部２０が当たるため、ロック部材６は回動することができない。ロック部材６を回動させるには、図８（３）に示す状態からロック部材６を方向Ｎ１に持ち上げ（図８（２））、この状態から方向Ｃに回動させる。この場合、側部５ｂの端面５ｂａにガイド部２０ｂが当たらないため、ロック部材６を方向Ｃに回動して図８（１）の状態にすることができる。また、図８（２）の状態から図８（１）の状態へ滑らかに回動させるため、端面５ｂａの上側角部を切り欠いて例えば丸い形状Ｒにすることが望ましい。このように構成することによって、回転つまみ３が小さいためロック部材６を押し込むことによって得られる回転つまみ３の嵌合孔１４からの突出量が小さい場合であっても、ロック部材６は押し込まれていればガイド部２０によって回動し難いため、回転つまみ３から外れ難い。
【００３３】
以上のように、ロック部材６の押し込みによって回転つまみ３を可能な限り突出させることでロック部材６が回動し難くなる。加えて、ガイド部２０によって、その押し込みの量が所定以上であれば回動し難くなるよう構成した。これによって、回転つまみ３が小さい場合や鍵１１の係止フック１１ａの径が細いことによりロック部材６にガタつきが生じても、ロック部材６が嵌合孔１４から外れ難く、回転つまみ３を操作することが阻止され得る状態が維持される。
【００３４】
（実施の形態２）
図９は実施の形態２に係る操作部材ロック装置の簡略化した斜視図である。本実施の形態では、回転つまみ３の操作用として操作部材３０が別に設けられており、この操作部材３０の回動操作に連動して回転つまみ３が回動するように構成されている。このような構成の操作装置において、操作部材３０をロックするために操作部材ロック装置４を適用するようにしてもよい。尚、回転つまみ３を操作できないようにするため、操作部材ロック装置４に収納部を別途設け、操作部材３０がロック状態とされたときに、当該収納部に回転つまみ３を収納するようにしてもよい。
【００３５】
（その他の事項）
（１）上記実施の形態では、嵌合部としてロック部材６に嵌合孔（嵌合部）１４を形成するようにしたけれども、嵌合孔１４に代えて、回転つまみ３を覆って収納して嵌合する収納部（嵌合部）を形成するようにしてもよい。
【００３６】
（２）上記実施の形態ではセレクタスイッチの回転つまみをロックする例について説明したが、本発明はカムスイッチの回転つまみをロックする場合にも適用できる。例えば、操作部材がレバーのような場合であっても、そのレバーを所定位置でロックする装置にも適用できる。また、操作部材を押したり、引っ張ったりするスイッチにも適用できる。このように本発明は、回転や直線移動等の動きを伴う操作部材に適用することができる。
【００３７】
（３）上記実施の形態では、ロックすべき所定位置が１つの場合であったけれども、図１０〜図１３に示すように嵌合孔を十字状に形成してロックすべき所定位置が２箇所の場合のそれぞれの位置において操作部材をロックする場合にも適用することができる。尚、ロックすべき所定位置が３箇所、あるいはそれ以上の場合であっても、嵌合孔をそれに対応した形状とすることにより、各ロックすべき複数位置に操作部材をロックすることが可能となる。
【００３８】
（４）また、軸部１５、長孔１０がそれぞれロック部材６の側部６ｂ、取付部材５の側部５ｂに設けられた場合を説明したが、軸部１５、長孔１０を取付部材５の側部５ｂ、ロック部材６の側部６ｂに設けてもよい。
【００３９】
（５）また、回転つまみ３が大きいと、図８（１）の状態から図８（２）の状態に移るまでの間に、嵌合部１４に回転つまみ３が引っ掛かって滑らかに回動操作ができないことがある。そこで、図１４に示すように、嵌合代Ｍのうち、軸部１５（回動中心）に近い側の部分を広くすることで、ロック部材６が回動中に回転つまみ３に引っ掛かることがなく、滑らかに回動操作ができる。
【００４０】
（６）また、案内部は押し込み方向へ移動可能かつ回転可能に軸部を保持できるものであればよく、長い孔１０の他、長い溝等であってもよい。
【産業上の利用可能性】
【００４１】
本発明は、例えばセレクタスイッチの回転つまみ等の操作部材を所定位置でロックするための操作部材ロック装置及び該操作部材ロック装置を備えた操作装置に適用される。
【符号の説明】
【００４２】
１：操作面                      ２：セレクタスイッチ
３：回転つまみ                  ４：操作部材ロック装置
５：取付部材                    ６：ロック部材
５ａ：取付部材の底部          ５ｂ：取付部材の側部
６ａ：ロック部材の基部        ６ｂ：ロック部材の側部
１０：長孔                    １４：嵌合孔（嵌合部）
１５：軸部                      Ｍ：嵌合代
【図１】
2014011135.tif 000003
【図２】
2014011135.tif 000004
【図３】
2014011135.tif 000005
【図４】
2014011135.tif 000006
【図５】
2014011135.tif 000007
【図６】
2014011135.tif 000008
【図７】
2014011135.tif 000009
【図８】
2014011135.tif 000010
【図９】
2014011135.tif 000011
【図１０】
2014011135.tif 000012
【図１１】
2014011135.tif 000013
【図１２】
2014011135.tif 000014
【図１３】
2014011135.tif 000015
【図１４】
2014011135.tif 000016
【図１５】
2014011135.tif 000017
【図１６】
2014011135.tif 000018